【事件の表示】
　特許第２８７６２８１号「埋設管探査装置」の請求項１に係る特許に対する特許異議の申立てについて、次のとおり決定する。
【結　論】
　訂正を認める。
　特許第２８７６２８１号の請求項１に係る特許を維持する。
【理　由】
１　手続の経緯
　特許第２８７６２８１号の請求項１に係る発明についての出願は、平成６年３月１６日に特許出願され、平成１１年１月２２日にその発明について特許権の設定登録がされた。
　平成１１年９月３０日に本件特許異議の申立てがなされ、取消しの理由が通知され、その指定期間内の平成１２年４月３日に訂正請求がなされ、平成１２年１０月１９日に申立人の提出した検甲各号証及び職権で採用した証拠について証拠調べが行われた。
　その後新たな取消しの理由が通知され、その指定期間内の平成１２年１２月２５日に訂正請求がなされ、平成１２年４月３日の訂正請求は取下げられた。
　
２　訂正の適否についての判断
（１）訂正明細書の請求項１に係る発明
　訂正明細書の請求項１に係る発明は、その特許請求の範囲請求項１に記載された次の事項により特定されるものである。
　「　埋設配管路の露出部と大地間に発信器からの信号電流を供給することによって埋設管の表面から磁界を発生させ、この発生した磁界を検出器によって検出するとともに、この検出した信号を受信器によって受信することにより前記埋設管の位置を探査する埋設管探査装置において、
　前記発信器の発信器本体には、
　バッテリ残量を所定の期間、点滅表示を行う発光ダイオードからなる発信器側表示手段と、
　所定の周波数で発振する発振手段と、
　前記発信器本体の電源スイッチがオンされると、前記発信器側表示手段に対してバッテリ残量が点滅表示され、その後前記発振手段に対して所定の発振周波数での発振動作を行わせる発信器側制御手段と
　が具備され、
　前記受信器の受信器本体には、
　バッテリ残量を所定の期間及び所定の表示動作によって表示可能な受信器側表示手段と、
　感度調整を行う際に操作される感度ボリュームと、
  前記受信器本体の電源スイッチがオンされると、前記受信器側表示手段に対してバッテリ残量が表示され、その後前記検出器からの検出信号の大きさを表示させ、更にこの状態から前記感度ボリュームを操作して前記検出信号の最大位置を固定し、この固定位置から前記検出器を左右に振らせた際に得られる検出信号の大きさを表示させることにより、前記埋設管の位置、延長方向及び埋設の深さを表示させる受信器側制御手段と
　が具備されていることを特徴とする埋設管探査装置。」
（２）訂正の目的の適否、新規事項の有無及び拡張・変更の存否
　特許権者が求めている訂正の内容は以下の訂正事項１〜３のとおりである。
【訂正事項１】
　特許請求の範囲の請求頃１中の記載を次のとおり訂正する。
（ア）「バッテリ残量を所定の期間及び所定の表示動作によって表示する発信器側表示手段と、」（特許公報１欄９〜１０行）を、「バッテリ残量を所定の期間、点滅表示を行う発光ダイオードからなる発信器側表示手段と、」と訂正する。
（イ）「前記発信器本体の電源スイッチがオンされたとき、前記発信器側表示手段に対してバッテリ残量の表示動作を行わせた後、」（同１欄１２〜１４行）を、「前記発信器本体の電源スイッチがオンされると、前記発信器側表示手段に対してバッテリ残量が点滅表示され、その後」と訂正する。
（ウ）「前記受信器本体の電源スイッチがオンされたとき、前記受信器側表示手段に対して前記バッテリ残量の表示を行わせるとともに、」（同２欄５〜７行）を、「前記受信器本体の電源スイッチがオンされると、前記受信器側表示手段に対してバッテリ残量が表示され、その後」と訂正する。
【訂正事項２】
　明細書の段落番号【００１０】を下記のとおり訂正する。
「　【００１０】　【課題を解決するための手段】本発明は、上記目的を達成するために、埋設配管路の露出部と大地間に発信器からの信号電流を供給することによって埋設管の表面から磁界を発生させ、この発生した磁界を検出器によって検出するとともに、この検出した信号を受信器によって受信することにより前記埋設管の位置を探査する埋設管探査装置において、前記発信器の発信器本体には、バッテリ残量を所定の期間、点滅表示を行う発光ダイオードからなる発信器側表示手段と、所定の周波数で発振する発振手段と、前記発信器本体の電源スイッチがオンされると、前記発信器側表示手段に対してバッテリ残量が点滅表示され、その後前記発振手段に対して所定の発振周波数での発振動作を行わせる発信器側制御手段とが具備され、前記受信器の受信器本体には、バッテリ残量を所定の期間及び所定の表示動作によって表示可能な受信器側表示手段と、感度調整を行う際に操作される感度ボリュームと、前記受信器本体の電源スイッチがオンされると、前記受信器側表示手段に対してバッテリ残量が表示され、その後前記検出器からの検出信号の大きさを表示させ、更にこの状態から前記感度ボリュームを操作して前記検出信号の最大位置を固定し、この固定位置から前記検出器を左右に振らせた際に得られる検出信号の大きさを表示させることにより、前記埋設管の位置、延長方向及び埋設の深さを表示させる受信器側制御手段とが具備されていることを特徴とする。」
【訂正事項３】
　明細書の段落番号【００３３】を、下記のとおり訂正する。
「　【００３３】　このように発信器及び受信器の操作において、両者とも電源スイッチがオンされるとバッテリ残量が自動的に表示されるから、操作の単純化が図れるとともに、単純化された機能に応じる回路構成をとることができ、大容量の電力を必要としないので、簡単な操作で埋設管の探査を確実に行うことができ、しかも小型軽量化を図ることができる。
　またバッテリ残量を表示する発信器側の表示手段は、点滅表示を行う発光ダイオードからなる表示手段としたから、電源オン時のバッテリチェックの視認性が良好となり、バッテリチェックの確認が容易に行える上に、バッテリチェックスイッチやバッテリチェックメー夕が不要にできる等の効果も併せ得られる。」
　
　訂正事項１（ア）は、特許請求の範囲に記載された「所定の表示動作によって表示する発信器側表示手段」を「点滅表示を行う発光ダイオードからなる発信器側表示手段」に限定するもので、この訂正は、明細書の段落番号【００１３】おいて「バッテリチエック時に点滅表示を行う発光ダイオードからなる表示部５２」という記載からみて、特許請求の範囲の減縮を目的とするもので、明細書に記載した事項の範囲内においてされた訂正であり、実質上特許請求の範囲を拡張し又は変更するものではない。
　訂正事項１（イ）は、発信器において電源スイッチのオン動作によりバッテリ残量の表示が自動的に表示されることを明確にする訂正であり、明りょうでない記載の釈明を目的にするもので、明細書に記載した事項の範囲内においてされた訂正であり、実質上特許請求の範囲を拡張し又は変更するものではない。
　訂正事項１（ウ）は、受信器において電源スイッチのオン動作によりバッテリ残量の表示が自動的に表示されることを明確にする訂正であり、明りょうでない記載の釈明を目的にするもので、明細書に記載した事項の範囲内においてされた訂正であり、実質上特許請求の範囲を拡張し又は変更するものではない。
　訂正事項２は、特許請求の範囲の訂正と整合をとるために発明の詳細な説明を訂正するもので、明りょうでない記載の釈明を目的にするもので、明細書に記載した事項の範囲内においてされた訂正であり、実質上特許請求の範囲を拡張し又は変更するものではない。
　訂正事項３は、訂正後の特許請求の範囲に係る発明が奏する効果を明りょうにした訂正であり、追記した効果は、明細書の「ここで、電源スイッチ５４がオンされることにより、表示部５２が数秒間点滅表示を行うことで、バッテリチェックが完了するようになっているため、電源オン時のバッテリチェックの視認性が良好となるばかりか、バッテリチェックスイッチやバッテリチェックメータが不要となる。」（【００１４】）の記載に基づくもので、明りょうでない記載の釈明を目的にするもので、明細書に記載した事項の範囲内においてされた訂正であり、実質上特許請求の範囲を拡張し又は変更するものではない。
　
（３）独立特許要件
　異議申立で提出された証拠ないし職権で採用した証拠である「ＴＧＬ−２４型」のパイプロケーター（申立人が提出した検甲第１号証）（以下、「２４型」という。）、「ＯＧ−ＤＧ−７６２型」のパイプロケーターないし「ＤＧＯ−ロケーター７６２型」のパイプロケータ（申立人が提出した検甲第２号証）（以下、「７６２型」という。）、「ＤＧＯ・ロケーター８７３型」のパイプロケーター（申立人が提出した検甲第３号証）（以下、「８７３型」という。）、「埋設物探査業務の実務」（昭和６３年８月埋設物探査技術研究会）（特許異議申立人が提出した甲第２ｇ号証、「ＭＰＬ−Ｈ３型」のパイプロケータ（職権で採用した証拠）（以下、「ＭＰＬ−Ｈ３型」という。）、「ＰＬ−８０１」の鉄管・ケーブル探知器（職権で採用した証拠）（以下、「ＰＬ−８０１」という。）には、それぞれ次のとおりの発明が開示されている。
［２４型］
　発信器、受信器、検出器からなる探査装置である。
　発信器においては、電源スイッチのオン動作により電池メータの針が電池残量に対応して振れ、電源スイッチがオフになるまで電池メータの針は電池残量を指示するものである。
　受信器においては、電源スイッチとは別に電池スイッチが設けられ、電池残量チェックのために電池スイッチを押すと、押している間メータの針が電池残量に対応して振れ、電池残量を表示するものである。
［７６２型］
　発信器、受信器、検出器からなる探査装置である。
　発信器においては、電源スイッチのオン動作により電池メータの針が電池残量に対応して振れ、電源スイッチがオフになるまで電池メータの針は電池残量を指示するものである。
　受信器においては、電源スイッチとは別にバッテリチェックスイッチ（ＢＡＴＴ）が設けられ、電池残量チェックのためにバッテリチェックスイッチを押すと、押している間メータの針が電池残量に対応して振れ、電池残量を表示するものである。
［８７３型］
　発信器、受信器、検出器からなる探査装置である。
　発信器において、電源スイッチとは別に電池スイッチが設けられ、電池残量チェックのために電池スイッチを押すと、押している間メータの針が電池残量に対応して振れ、電池残量を表示するものである。
　受信器においても、電源スイッチとは別に電池スイッチが設けられ、電池残量チェックのために電池スイッチを押すと、押している間メータの針が電池残量に対応して振れ、電池残量を表示するものである。
［「埋設物探査業務の実務」］
　「ＭＰＬ−Ｈ３」の「送信器の操作」（３９頁５行）に関して、「図６ ２ １　ＭＰＬ−Ｈ３送信器操作盤」に電池チェックボタンが記載され、「使用に当っては、必ず電池の電圧を出力メータによってチェックし、出力メータの針がＯＫ以下の場合は電池を取換える必要がある。」（３９頁７〜９行）と記載され、「受信器の操作」（４０頁１行）に関して、「図６ ２ ２　ＭＰＬ−Ｈ３受信器操作盤」に電源スイッチボタン及びグラフィック表示部に隣接する警報表示部が記載され、「警報板表示部は、・・・電池の電圧不足を表示する。」（４０頁３〜５頁）と記載されている。また、「図６ ２ ４の（１）　ＭＰＬ−Ｈ３受信器の平面位置、深度測定操作フロー」には、「電源スイッチＯＮ」に続いて「電池表示ＯＫ」と記載され、電池表示がＯＫでなければ「電池取替」を、警報表示部に「電池交換」を示すグラフィックバーが表示されることが記載されている。
［ＭＰＬ−Ｈ３型］
　発信器、検出部を備える受信器からなる探査装置である。
　発信器において、電源スイッチとは別に電池チェックスイッチが設けられ、電池残量チェックのために電池チェックスイッチを押すと、押している間メータの針が電池残量に対応して振れ、電池残量を表示するものである。
　受信器においては、電源スイッチのオン動作により、電池残量が少なければ電池交換の指示が液晶表示部のバーで表示され、電源スイッチがオンされていて、電池交換がされない状態では電池交換のバー表示は消えることなく続くものである。
［ＰＬ−８０１］
　ケースと一体に設けられた発信器、受信器、検出器からなる探査装置である。
　発信器においては、電源スイッチを回動するオン動作により所定の位置（「電池」と表示されている。）でメータの針が電池残量に対応して振れる。電源スイッチがその位置にとどまる限り、引き続いて電池残量表示を行うが、発信器として動作させるためにさらに電源スイッチを回動させると、メータの針は戻りメータは電池残量表示を終了するものである。
　受信器においても、電源スイッチを回動するオン動作により所定の位置（「電池」と表示されている。）でメータの針が電池残量に対応して振れる。電源スイッチがその位置にとどまる限り引き続いて電池残量表示を行うが、発信器として動作させるためにさらに電源スイッチを回動させると、メータの針は戻りメータは電池残量表示を終了するものである。
　
　そして、２４型、７６２型、８７３型、ＭＰＬ−Ｈ３型、ＰＬ−８０１の各装置は、１９９２年（平成４年）６月２４日発行の（週刊）ガス事業新聞に同一型番の装置がパイプロケータとして使用されていることが記載されているから、本件出願前に市販され、その電池残量表示手段及びその動作は出願前公知であったことが認められる。
（対比・判断）
　訂正後の本件発明は、「発信器の発信器本体には、バッテリ残量を所定の期間、点滅表示を行う発光ダイオードからなる発信器側表示手段と、所定の周波数で発振する発振手段と、前記発信器本体の電源スイッチがオンされると、前記発信器側表示手段に対してバッテリ残量が点滅表示され、その後前記発振手段に対して所定の発振周波数での発振動作を行わせる発信器側制御手段とが具備され」るものであり、「バッテリ残量を所定の期間、点滅表示を行う発光ダイオード」を用い、「発信器本体の電源スイッチがオンされると」、「バッテリ残量が点滅表示され、その後前記発振手段に対して所定の発振周波数での発振動作を行わせる」ものであるから、発光ダイオードが点滅表示する所定の期間とは、電源スイッチがオンの期間（これは装置が動作している期間であり、定められた期間すなわち所定の期間ではない。）より短く、予め定められた一定期間であると認められる。本件発明の実施例においては、「発信器５０の発信器本体５１のフロント面上段側には、バッテリチエック時に点滅表示を行う発光ダイオードからなる表示部５２」（【００１３】）が設けられ、「電源スイッチ５４がオンされることにより、表示部５２が数秒間点滅表示を行うことで、バッテリチェックが完了するようになっている」（【００１４】）と記載され、発光ダイオードが所定の期間（数秒間）点滅表示することが記載されている。
　これに対して、異議申立てで提出された証拠及び職権で採用した証拠のいずれにも、電源スイッチオンにより所定の期間バッテリ残量の表示を行うことを開示ないし示唆するものはない。
　すなわち、２４型、７６２型の受信器、８７３型の発信器、受信器及びＭＰＬ−Ｈ３型の発信器は、電源スイッチとは別の電池残量を表示するためのスイッチを備え（いわゆる「２回押し」）、スイッチを押している間電池残量を表示するもので、電源スイッチのオンにより電池残量を表示するもの（いわゆる「１回押し」）ではなく、所定の期間表示するものでもない。
　２４型、７６２型の発信器は、その電源スイッチのオン動作により電池残量を表示する（「１回押し」）点で本件発明と一致するが、電池メータは電源スイッチのオンの期間中表示動作を行うもので、電源スイッチがオンされると所定の期間表示動作を行うものではない。
　ＭＰＬ−Ｈ３型の受信器においては、電源スイッチのオン動作により、電池残量が電池交換を指示するバーとして表示されるが、電池交換がされなければ、バー表示は電源スイッチのオンの期間消えることのないもので、本件発明のように電源スイッチがオンされると所定の期間表示動作を行うものではない。
　ＰＬ−８０１の発信器及び受信器においては、電源スイッチを回動するオン動作により所定の位置（「電池」と表示されている。）でメータの針が電池残量に対応して振れ、発信器ないし受信器として動作させるためにさらに電源スイッチを回動させると、メータの針は戻りメータは電池残量表示を終了するものであり、バッテリ残量の表示の後、発振手段に対して所定の発振周波数での発振動作を行わせる点で本件発明と共通するが、所定の位置にあれば電池残量表示を続けるもので、表示期間はスイッチの回動動作により変化するものであるから、電源スイッチがオンされると所定の期間表示動作を行うものではない。
　また、書証である「埋設物探査業務の実務」のＭＰＬ−Ｈ３型に関する記載は、ＭＰＬ−Ｈ３型の動作を説明するものにすぎず、ＭＰＬ−Ｈ３型は、前述のとおり本件発明を開示ないし示唆するものではないから、「埋設物探査業務の実務」が本件出願前頒布された刊行物であるか否かを検討するまでもなく、その記載内容は本件発明を開示ないし示唆するものではない。
　したがって、発光ダイオードが周知の表示手段であるとしても、いずれの証拠にも電源スイッチオンにより所定の期間バッテリ残量の表示を行うことを開示ないし示唆するものは認められないから、訂正後の発明の「発信器の本体には、バッテリ残量を所定の期間、点滅表示を行う発光ダイオードからなる発信器側表示手段」を備え、「発信器本体の電源スイッチがオンされると、前記発信器側表示手段に対してバッテリ残量が点滅表示」する点は、当業者であっても容易に想到しうるものではないと認められ、訂正後の本件発明は特許出願の際独立して特許受けることができるものである。
（４）むすび
　以上のとおりであるから、上記訂正は、特許法等の一部を改正する法律（平成６年法律１１６号）附則６条１項の規定によりなお従前の例によるとされる、平成１１年改正前の特許法１２０条の４第３項において準用する平成６年法律１１６号による改正前の特許法１２６条１項ただし書、２項及び３項の規定に適合するので、当該訂正を認める。
３　特許異議申立について
（１）本件発明
　本件発明は訂正明細書の特許請求の範囲に記載された事項により特定されるものであり、２（１）に述べたとおりである。
（２）申立ての理由の概要
　本件発明は、検甲第１〜３号証（２４型、７６２型、８７３型）の各発明であり、甲第２ｇ号証（「埋設物探査業務の実務」）に記載された発明であるから、特許法２９条１項１号又は３号の発明に該当するものであり、また、検甲第１〜３号証の発明及び甲第２ｇ号証に記載された発明に基づいて、当業者が容易に発明をすることができたものであるから、本件発明の特許は取り消されるべきものである。
（３）申立人が提出した検甲第１〜３号証（２４型、７６２型、８７３型）及び甲第２ｇ号証（「埋設物探査業務の実務」）は、２で述べたとおりの発明が開示され、２で述べたとおりの理由により、本件発明は、検甲第１〜３号証の各発明でもなく、甲第２ｇ号証に記載された発明でもない。また検甲第１〜３号証の発明及び甲第２ｇ号証に記載された発明に基づいて、当業者が容易に発明をすることができたものでもない。
（４）　むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律１１６号）附則１４条の規定に基づく、特許法等の一部を改正する法律の施行に伴う経過措置を定める政令（平成７年政令２０５号）４条２項の規定により、結論のとおり決定する。
【異議決定日】
平成１３年１月５日（２００１．１．５）
【訂正の要旨】
訂正の要旨
【訂正事項１】
　特許請求の範囲の請求頃１中の記載を、特許請求の範囲の減縮を目的として、次のとおり訂正する。
（ア）「バッテリ残量を所定の期間及び所定の表示動作によって表示する発信器側表示手段と、」（特許公報１欄９〜１０行）を、「バッテリ残量を所定の期間、点滅表示を行う発光ダイオードからなる発信器側表示手段と、」と訂正する。
（イ）「前記発信器本体の電源スイッチがオンされたとき、前記発信器側表示手段に対してバッテリ残量の表示動作を行わせた後、」（同１欄１２〜１４行）を、
「前記発信器本体の電源スイッチがオンされると、前記発信器側表示手段に対してバッテリ残量が点滅表示され、その後」と訂正する。
（ウ）「前記受信器本体の電源スイッチがオンされたとき、前記受信器側表示手段に対して前記バッテリ残量の表示を行わせるとともに、」（同２欄５〜７行）を、「前記受信器本体の電源スイッチがオンされると、前記受信器側表示手段に対してバッテリ残量が表示され、その後」と訂正する。
　【訂正事項２】
　明細書の段落番号【００１０】を、明りょうでない記載の釈明を目的として、下記のとおり訂正する。
「　【００１０】　【課題を解決するための手段】本発明は、上記目的を達成するために、埋設配管路の露出部と大地間に発信器からの信号電流を供給することによって埋設管の表面から磁界を発生させ、この発生した磁界を検出器によって検出するとともに、この検出した信号を受信器によって受信することにより前記埋設管の位置を探査する埋設管探査装置において、前記発信器の発信器本体には、バッテリ残量を所定の期間
、点滅表示を行う発行ダイオードからなる
ると、
が点滅表示され、その後
　【訂正事項３】
　明細書の段落番号【００３３】を、明りょうでない記載の釈明を目的として、下記のとおり訂正する。
「　【００３３】　
このように発信機及び受信機の操作において、両者とも電源スイッチがオンされるとバッテリ残量が自動的に表示されるから、
　
またバッテリ残量を表示する発信機側の表示手段は、点滅表示を行う発光ダイオードからなる表示手段としたから、電源オン時のバッテリチェックの視認性が良好となり、バッテリチェックの確認が容易に行える上に、バッテリチェックスイッチやバッテリチェックメータが不要にできる等の効果も併せ得られる。
（５４）【発明の名称】
埋設管探査装置
（５７）【特許請求の範囲】
　　【請求項１】　埋設配管路の露出部と大地間に発信器からの信号電流を供給することによって埋設管の表面から磁界を発生させ、この発生した磁界を検出器によって検出するとともに、この検出した信号を受信器によって受信することにより前記埋設管の位置を探査する埋設管探査装置において、
　前記発信器の発信器本体には、
　バッテリ残量を所定の期間
、点滅表示を行う発光ダイオードからなる
　所定の周波数で発振する発振手段と、
　前記発信器本体の電源スイッチがオンされ
ると
が点滅表示されその後
　が具備され、
　前記受信器の受信器本体には、
　バッテリ残量を所定の期間及び所定の表示動作によって表示可能な受信器側表示手段と、
　感度調整を行う際に操作される感度ボリュームと、
　前記受信器本体の電源スイッチがオンされ
ると
が表示され、その後
　が具備されていることを特徴とする埋設管探査装置。
【発明の詳細な説明】
　　　【０００１】
　　【産業上の利用分野】
　本発明は、直接法によって埋設管を探査する埋設管探査装置に関する。
　　　【０００２】
　　【従来の技術】
　従来より、埋設管を探索する方法として、誘導法と直接法とがある。
　誘導法は、非接触方式で埋設管に接することなく、発振器のアンテナを利用して高周波電磁波を発振し、埋設管に誘導された高周波電流による二次磁界をサーチコイルによりピックアップして探査するものである。直接法は、接触方式であり、埋設管の一点とアースとの間に通電した一種類（発振周波数数十ＫＨＺ）の交流電流によって埋設管の近傍に形成される交番磁界を検出することにより、埋設管を探査するものである。
　　　【０００３】
　また、直接法においては、発振器からの管路接続発信ポイント数により、一点法、二点法、三点法等がある。
　このような直接法により埋設管を探査する方法として、たとえば特公昭５４−４１４２２号公報には、三点法によって埋設金属管を探査する埋設金属管の探査装置が開示されている。
　　　【０００４】
　すなわち、図８に示すように、発振器３よりリード線２ａ，２ｂを介して探査対象ガス管１の露出部二点ａ，ｂに２ＫＨＺ程度の低周波電流を印加すると、各リード線２ａ，２ｃ，２ｂの接続点Ａ−ａ−ｃ−ＣＯＭ．と、Ｂ−ｂ−ｃ−ＣＯＭ．とには各々互いに相反する向きの信号電流ＩＡ，ＩＢが流れて相反する二つのループ回路を形成し、両端の接続点ａ，ｂ間に位置する探査対象ガス管１部分周りには磁界が形成される。
　　　【０００５】
　この場合、水道管等の非探査金属管Ｔが中間接続点ｃを挟む形で電気的閉ループを形成して存在していると、この非探査金属管Ｔには、各々Ｉ３′，Ｉ３″なる信号電流が互いに逆向きに流れようとするが、その両端には同位相の同電圧がかけられているので、信号電流Ｉ３′，Ｉ３″は互いに打ち消し合い、この非探査金属管Ｔには殆ど電流が流れなくなることから、微弱な磁界しか形成されないため、ピックアップ４を走査すると、磁界が強く形成されている探査対象ガス管１のみが区別して検出されるようになっている。
　　　【０００６】
　　【発明が解決しようとする課題】
　ところで、上述した従来の埋設金属管の探査装置では、三点法によって埋設金属管を探査する場合について示しているが、通常、このような探査装置では、一点法や二点法によって埋設金属管を探査する機能も備わっており、三点法に限らず、一点法や二点法によって埋設金属管を探査する場合、それぞれの発信方法に合わせた操作が必要となることから操作の複雑化を招いてしまい、探査作業に熟練を要してしまうばかりか、取扱いを誤ると、誤判定を招いてしまうという問題があった。
　　　【０００７】
　また、探査装置には、バッテリの残量をチェックする場合や、非探査金属管の探査作業の行う場合、それぞれの作業に対応した操作ボタンが設けられており、それぞれの作業毎にそれぞれ対応したボタンを操作する必要があることから、探査作業が困難なものとなっている。
　　　【０００８】
　また、複雑な機能である各種発振方法に対応させた回路構成とされているため、大容量の電力を必要とすることから容量の大きいバッテリが必要となり、必然的に装置自体の重量が増してしまうことによって持ち運びに不便を感じるという問題もあった。
　　　【０００９】
　本発明は、このような事情に対処してなされたもので、簡単な操作で埋設管の探査を確実に行うことができ、しかも小型軽量化を図ることができる埋設管探査装置を提供することを目的とする。
　　　【００１０】
　　【課題を解決するための手段】
　本発明は、上記目的を達成するために、埋設配管路の露出部と大地間に発信器からの信号電流を供給することによって埋設管の表面から磁界を発生させ、この発生した磁界を検出器によって検出するとともに、この検出した信号を受信器によって受信することにより前記埋設管の位置を探査する埋設管探査装置において、前記発信器の発信器本体には、バッテリ残量を所定の期間、点滅表示を行う発光ダイオードからなる発信器側表示手段と、所定の周波数で発振する発振手段と、前記発信器本体の電源スイッチがオンされると、前記発信器側表示手段に対してバッテリ残量が点滅表示され、その後前記発振手段に対して所定の発振周波数での発振動作を行わせる発信器側制御手段とが具備され、前記受信器の受信器本体には、バッテリ残量を所定の期間及び所定の表示動作によって表示可能な受信器側表示手段と、感度調整を行う際に操作される感度ボリュームと、前記受信器本体の電源スイッチがオンされると、前記受信器側表示手段に対してバッテリ残量が表示され、その後前記検出器からの検出信号の大きさを表示させ、更にこの状態から前記感度ボリュームを操作して前記検出信号の最大位置を固定し、この固定位置から前記検出器を左右に振らせた際に得られる検出信号の大きさを表示させることにより、前記埋設管の位置、延長方向及び埋設の深さを表示させる受信器側制御手段とが具備されていることを特徴とする。
　　　【００１１】
　　【作用】
　本発明の埋設管探査装置では、一点法のみの機能を具備した構成をとるものであり、発信器側においては、まず電源スイッチがオンされるとバッテリ残量が発信器側表示手段によって表示され、その後発振手段が所定の周波数で発振を開始する。一方、受信器側においては、まず電源スイッチがオンされるとバッテリ残量が受信器側表示手段にて表示され、その後検出器からの検出信号が取り込まれると、その検出信号の大きさが表示され、更にこの状態から感度ボリュームを操作して検出信号の最大位置を固定し、この固定位置から検出器を左右に振らせた際に得られる検出信号の大きさが表示されることにより、埋設管の位置、延長方向及び埋設の深さが表示される。
　　　【００１２】
　したがって、操作の単純化が図れるとともに、単純化された機能に応じる回路構成をとることができるので、大容量の電力を必要としない。
　　　【００１３】
　　　【実施例】
　以下、本発明の実施例の詳細を図面に基づいて説明する。
　図１は、本発明の埋設管探査装置の一実施例に係る発信器を示すものである。同図に示す発信器５０の発信器本体５１は、プラスチック製によって構成されている。発信器５０の発信器本体５１のフロント面上段側には、バッテリチェック時に点滅表示を行う発光ダイオードからなる表示部５２及びコード８０のプラグ８１が接続されるパイプ端子５３が設けられている。フロント面下段側には、電源スイッチ５４及びアースコード８２のプラグ８３が接続されるアース端子５５が設けられている。
　　　【００１４】
　ここで、電源スイッチ５４がオンされることにより、表示部５２が数秒間点滅表示を行うことで、バッテリチェックが完了するようになっているため、電源オン時のバッテリチェックの視認性が良好となるばかりか、バッテリチェックスイッチやバッテリチェックメータが不要となる。
　　　【００１５】
　また、発信器５０の使用後においては、電源スイッチ５４を切忘れた場合であってもプラグ８３をアース端子５５から抜いておくことにより電源オフとなるので、無駄な電力消費がさけられ、電池の消耗が抑制されるようになっている。
　　　【００１６】
　図２は、発信器５０の制御系を示すものであり、制御部５６が電源スイッチ５４からのオン信号を受けとると、上記のように表示部５２の表示動作を行わせた後、発振器５７に対して発振動作を行わせるようになっている。また、制御部５６にアース端子５５にアースコード８２のプラグ８３が接続された際のセンス信号が取り込まれない場合、バッテリからの電力供給を遮断するようになっている。
　　　【００１７】
　図３は、受信器を示すものであり、プラスチック製よりなる受信器６０の受信器本体６１のフロント面左半分側には、電源スイッチ６２、受信感度に合わせて操作される強弱スイッチ６３及び感度ボリューム６４が設けられている。フロント面右半分側には、メータ６５が設けられている。
　　　【００１８】
　また、受信器本体６１の右側面側には、コンセント６６が設けられている。
　ここで、電源スイッチ６２がオンされると、メータ針がバッテリ指示領域側まで振れ、バッテリチェックを行うことができる。また、受信器６０の使用後においては、電源スイッチ６２を切忘れた場合であってもコンセント６６から後述のメタルコンセント７６を抜いておくことにより電源オフとなるので、無駄な電力消費がさけられ、電池の消耗が抑制されるようになっている。
　　　【００１９】
　図４は、受信器６０の制御系を示すものであり、制御部６７が電源スイッチ６２からのオン信号、強弱スイッチ６３からの強弱指示信号及び感度ボリューム６４からの感度指示信号が取り込まれると、上記のようにメータ６５の指示動作をコントロールするようになっている。
　　　【００２０】
　図５は、検出器の構成を示すものであり、検出器７０には、ロックリング７２によって伸縮自在とされた支持棒７３が設けられている。支持棒７３の一端部には、内部にコイルとコンデンサの共振回路を有するとともに、楕円形状とされた検出部７１が設けられている。支持棒７３の他端部には、取っ手７４が設けられている。取っ手７４の端部には、メタルコンセント７６が設けられているカールコード７５が取付けられている。
　　　【００２１】
　続いて、このような構成の埋設管探査装置の使用方法について説明する。
　まず、図６に示すように、コード８０の他端部側をメータやバルブ等の露出部に接続するとともに、一端部側のプラグ８１を発信器５０のパイプ端子５３に接続する。また、大地に突き刺したアース棒８５にアースコード８２の他端部側を接続し、一端部側のプラグ８３を発信器５０のアース端子５５に接続する。
　　　【００２２】
　コード８０及びアースコード８２の接続を終えた後、電源スイッチ５４をオンすると、表示部５２が数秒間点滅表示を行うため、これを確認することによってバッテリチェックを行うことができる。
　　　【００２３】
　このとき、アースコード８２の一端部側のプラグ８３が発信器５０のアース端子５５に接続されていないとき、電源スイッチ５４をオンした場合であっても電源オンにならないため、アース端子５５に対するプラグ８３の接続状態を確認する。
　　　【００２４】
　受信器６０側にあっては、検出器７０のメタルコンセント７６をコンセント６６に差し込んだ後、電源スイッチ６２をオンする。電源スイッチ６２がオンされると、メータ６５のメータ針がバッテリ指示領域側まで振れるので、バッテリ指示領域内でのメータ針の位置を確認することによりバッテリチェックが可能となる。
　　　【００２５】
　このとき、コンセント６６にメタルコンセント７６が接続されない限り、電源オンにならないため、コンセント６６に対するメタルコンセント７６の接続状態を確認する。
　　　【００２６】
　受信器６０の電源スイッチ６２をオンした後、検出器７０の検出部７１を地表面に押し当て、受信器６０側のメータ６５のメータ針の最大地点を捜し、最大地点が得られた箇所の地表面にマーキングを行う。ここで、楕円形状の検出部７１の長軸方向が埋設管８６の延長方向となっている。
　　　【００２７】
　マーキングした地表面に検出器７０の検出部７１を固定し、この状態で受信器６０の感度ボリューム６４を回して感度を上げ、図７（ａ）に示すように、メータ針をＳＥＴ位置に合せる。メータ針をＳＥＴ位置に合せた後、同図（ｂ）に示すように、検出器７０を埋設管８６の延長方向に対して直交する方向に振り、メータ針がＤの位置になったら検出器７０の振りを止めその位置にマーキングを行う。これを、同図（ｃ）に示すように、埋設管８６の延長方向の直交する方向の左右方向に対して行うことで、埋設管８６の深さｄ＝１＋１´が求められる。
　　　【００２８】
　このように、本実施例では、発信器５０側の電源スイッチ５４をオンすると、表示部５２の数秒間点滅表示によってバッテリチェックを行うことができ、続いて発振器５７による発振動作が行われる。しかも、プラグ８３がアース端子５５に接続されていなければ、電源スイッチ５４をオンした場合であっても電源オンにならないため、アース端子５５に対するプラグ８３の接続状態の確認を行うことができるばかりか、受信器６０の使用後においては、コンセント６６からメタルコンセント７６を抜いておくことにより電源オフとなるので、無駄な電力消費がさけられ、電池の消耗が抑制される。
　　　【００２９】
　受信器６０側にあっては、電源スイッチ６２をオンすると、メータ６５のメータ針がバッテリ指示領域側まで振れるので、バッテリ指示領域内でのメータ針の位置を確認することによりバッテリチェックが可能となる。また、検出器７０を用いての探査時においては、メータ針の最大地点にて感度ボリューム６４を回して感度を上げ、メータ針をＳＥＴ位置に合せ、メータ針がＤの位置になるまで検出器７０を埋設管８６の延長方向に対して直交する方向に振ることにより、埋設管８６の深さｄ＝１＋１´を求めることができる。
　　　【００３０】
　したがって、発信器５０側及び受信器６０側にあっては、電源スイッチ５４，６２および感度ボリューム６４の操作によって埋設管８６の探査作業が可能とされるので、熟練を要することなくきわめて簡単且つ確実に探査作業を行うことができる。
　　　【００３１】
　また、発信器５０側及び受信器６０側の機能は、一点法のみの機能としているため、複雑な回路構成を必要とせず、消費電力も少ないため、容量の小さいバッテリを搭載することが可能となるため、それぞれの重量を軽くすることができるので、取扱いがきわめて良好となる。
　　　【００３２】
　　【発明の効果】
　以上説明したように、本発明の埋設管探査装置では、一点法のみの機能を具備した構成をとるものであり、発信器側においては、まず電源スイッチがオンされるとバッテリ残量が発信器側表示手段によって表示され、その後発振手段が所定の周波数で発振を開始する。一方、受信器側においては、まず電源スイッチがオンされるとバッテリ残量が受信器側表示手段にて表示され、その後検出器からの検出信号が取り込まれると、その検出信号の大きさが表示され、更にこの状態から感度ボリュームを操作して検出信号の最大位置を固定し、この固定位置から検出器を左右に振らせた際に得られる検出信号の大きさが表示されることにより、埋設管の位置、延長方向及び埋設の深さが表示される。
　　　【００３３】
　このように発信器及び受信器の操作において、両者とも電源スイッチがオンされるとバッテリ残量が自動的に表示されるから、操作の単純化が図れるとともに、単純化された機能に応じる回路構成をとることができ、大容量の電力を必要としないので、簡単な操作で埋設管の探査を確実に行うことができ，しかも小型軽量化を図ることができる．
　またバッテリ残量を表示する発信器側の表示手段は、点滅表示を行う発光ダイオードからなる表示手段としたから、電源オン時のバッテリチェックの視認性が良好となり、バッテリチェックの確認が容易に行える上に、バッテリチェックスイッチやバッテリチェックメータが不要にできる等の効果も併せ得られる。
【図面の簡単な説明】
　　【図１】
　本発明の埋設管探査装置の一実施例に係る発信器を示す図である。
　　【図２】
　図１の発信器の制御系を簡単に示すブロック図である。
　　【図３】
　図１の発信器とともに用いられる受信器を示す図である。
　　【図４】
　図３の受信器の制御系を簡単に示すブロック図である。
　　【図５】
　図１の発信器及び図３の受信器とともに用いられる検出器を示す図である。
　　【図６】
　本発明の埋設管探査装置の使用方法を説明するための図である。
　　【図７】
　図３の受信器の動作を説明するための図である。
　　【図８】
　従来の三点法により埋設金属管を探査するための概念図を示すものである。
　　【符号の説明】
　５０　発信器
　５１　発信器本体
　５２　表示部
　５３　パイプ端子
　５４，６２　電源スイッチ
　５５　アース端子
　６０　受信器
　６１　受信器本体
　６４　感度ボリューム
　６５　メータ
　６６　コンセント
　７０　検出器
　７１　検出部
　７２　ロックリング
　７３　支持棒
　７４　取っ手
　７５　カールコード
　７６　タルコンセント
　８０　コード
　８１，８３　プラグ
　８２　アースコード